(57)【特許請求の範囲】
【請求項１】
釣竿の先端に取付けて釣糸をガイドする為のトップガイドにおいて、該トップガイドは金属製で鍛造加工したフレームと釣竿の先端部が嵌る為の嵌入孔を有す取付け部から成り、上記フレームに設けた保持孔の内周面は多角形として複数の当接平面を形成し、この多角形保持孔にセラミック製のガイドリングを圧入して嵌めた構造とし、ガイドリングの外周面が保持孔の上記当接平面に係合することで該当接平面が潰されて凹部と成って固定したことを特徴とする釣具用釣糸のガイド。
【請求項２】
釣竿の先端とリールとの間に取付けて釣糸をガイドする為のラインガイドにおいて、該ラインガイドは金属製で鍛造加工したフレームと釣竿に取付けられる取付け部から成り、上記フレームに設けた保持孔の内周面は多角形として複数の当接平面を形成し、この多角形保持孔にセラミック製のガイドリングを圧入して嵌めた構造とし、ガイドリングの外周面が保持孔の上記当接平面に係合することで該当接平面が潰されて凹部と成って固定したことを特徴とする釣具用釣糸のガイド。
【請求項３】
上記ガイドリングの外周面には全周にわたって凹溝を形成し、保持孔の当接平面を凹溝に係合した請求項１、又は請求項２記載の釣具用釣糸のガイド。
【発明の詳細な説明】
【技術分野】
【０００１】
本発明はリールに巻付け・巻き戻しする釣糸が釣竿に沿ってスライドする為のガイドに関するものである。
【背景技術】
【０００２】
図７は一般的な釣具を示す具体例である。同図に示すように釣具は釣竿（イ）、釣糸（ロ）、及びリール（ハ）から成り、釣糸（ロ）には先端に針（ニ）と途中には浮き（ホ）を取付けている。
そして、針（ニ）と浮き（ホ）の間には重り（ヘ）が取付けられ、上記釣糸（ロ）はリール（ハ）に巻付けられており、使用する際には巻き戻されて釣糸（ロ）は長く伸びることが出来る。
【０００３】
釣糸（ロ）は釣竿（イ）に取付けているラインガイド（ト）、（ト）・・・に沿って、リール（ハ）から巻き戻される釣糸（ロ）がスライドし、釣竿（イ）の先端に取付けたトップガイド（チ）から釣糸（ロ）はフリーな状態となって伸びることが出来る。逆に、釣糸（ロ）をリール（ハ）に巻き取る場合も同じであり、トップガイド（チ）から進入してラインガイド（ト）、（ト）・・・に沿ってスライドする。
【０００４】
ところで、釣糸（ロ）のスライド走行をガイド（案内）するためのラインガイド（ト）、（ト）・・・、及びトップガイド（チ）が釣竿（イ）に取り付けられるが、これらガイドの多くは円環形をしたガイドリングをフレームのリング保持孔に嵌めた構造と成っている。
通常、ガイドリングは耐摩耗や耐熱との関係から、セラミックスや硬質の金属材料によって形成され、フレームは金属板により絞り成形されている。
【０００５】
ところで、セラミックスや硬質金属から成るガイドリングには、製造上少なからぬ寸法誤差が発生するので、製造したガイドリングの全てをそのままフレームのリング保持孔に圧入しても安定して保持固定させることが出来ない場合もある。
すなわち、公差が厳しくてガイドリングがリング保持穴に圧入することが出来ない場合、又は圧入したが公差が緩くて外れてしまうこともある。
【０００６】
特開平１１−２２５６２８号に係る「魚釣用ラインガイド」は、フレームのリング保持孔にガイドリングを圧入状態に保持したラインガイドであり、リング保持孔に設けた微小な仮止め突起でガイドリングを仮止めすることでリングの寸法誤差を吸収し、最終的にフレームとリングとを接着固定した構造としている。
すなわち、フレームの材料には従来より薄い板厚のものを使用し、リング保持孔の内周縁には仮止め突起を設け、リング保持部は内周縁寄り部分を残して筒形に絞り加工し、この筒形をした部分とガイドリングとを接着剤で固定している。
【０００７】
上記魚釣用ガイドラインは金属製の薄い板材を用いて成形されるフレームである為に剛性は低く、リング保持孔に圧入しただけではガイドリングを強固に保持することは出来ない。その為に、該リング保持孔にガイドリングを固定するに際して接着剤が使用されている。しかし、ガイドリングの圧入工程の他に接着工程を要すことで製作工数は大きくなり、コストも高く成る。
【特許文献１】特開平１１−２２５６２８号に係る「魚釣用ラインガイド」
【発明の開示】
【発明が解決しようとする課題】
【０００８】
このように、従来のガイドには上記のごとき問題がある。本発明が解決しようとする課題はこの問題点であり、接着剤を使用することなく保持孔に圧入するだけでガイドリングが外れ落ちないように固定されるガイドを提供する。
【課題を解決するための手段】
【０００９】
本発明に係る釣糸のガイドは、円環状のフレームに保持孔を有し、この保持孔にガイドリングが嵌って構成される。したがって、基本的な形態は従来のガイドと共通しているが、本発明ではフレームを金属製として鍛造加工され、そしてフレームの保持孔に圧入されるガイドリングは非常に硬質なセラミック製としている。
ただし、上記フレームの外形は必ずしも円環状に限るものではない。
【００１０】
ところで、上記ガイドリングが嵌るフレームのリング保持孔の形状は多角形を成し、その為に内周面は複数の当接平面を形成している、したがって、ガイドリングの外周は上記平面に当接すると共に、該平面は窪み変形することで凹部が形成され、ガイドリングは凹部に係合して保持孔に固定される。
ただし、ガイドリングの外周に浅い凹溝を全周にわたって形成し、この凹溝に当接平面を係合するようにすることも出来る。
また、ガイドは釣竿の先端に取付けられるトップガイドとリールと先端との間に取付けられるラインガイドが設けられるが、本発明では釣竿への具体的な取付け手段は限定しないことにする。
【発明の効果】
【００１１】
本発明に係るガイドは、そのフレームが金属板を絞り成形したものではなく、鍛造加工したものであり、該フレームの剛性は従来のような金属板を絞り成形したガイドに比較して高く成る。そして、この高い剛性を有すフレームの保持孔の内周面を多角形とし、この多角形保持孔にガイドリングが嵌ることで、ガイドリングは外れ落ちることなく固定される。
【００１２】
すなわち、多角形の保持孔を形成する当接平面は僅かに潰されて凹部と成り、保持孔に嵌ったセラミック製のガイドリングの外周が形成される凹部に係合することで外れ落ちることはない。硬いセラミック製のガイドリングが鍛造加工した高剛性のフレームの保持孔に嵌合することで強固に固定される。
そして、ガイドリングはセラミック製である為に非常に硬く、リールを巻き戻したり巻付けたりする際に、釣糸がスライドしてガイドリングと擦れ合っても、該ガイドリングが摩耗することは殆どない。
【図面の簡単な説明】
【００１３】
【図１】釣竿の先端に取付けられるトップガイド示す外観図。
【図２】（ａ）はトップガイドの平面図、（ｂ）は底面図。
【図３】図２（ａ）のＡ−Ａ断面図で、釣竿先端に取付けた状態。
【図４】ガイドリングが嵌る前のトップガイド。
【図５】ガイドリングが嵌った状態のトップガイド。
【図６】ラインガイドを示す具体例。
【図７】一般的な釣具を示す具体例。
【発明を実施するための形態】
【００１４】
図１は本発明に係るガイドの外観を示す実施例であり、釣竿の先端に取付けるトップガイド１である。トップガイド１はフレーム２と取付け部３から成り、フレーム２は貫通した保持孔４を有すリング体（円環）を有している。取付け部３は筒形を成し、そして取付け部３には嵌入孔５を設けている。ところで、該トップガイドは釣竿の先端に取付けられ、釣竿の先端部は上記嵌入孔５に嵌入することが出来る。
【００１５】
上記トップガイド１は金属製で鍛造加工したものであって、従来の金属製板材を絞り加工したトップガイドに比較してその強度・剛性は格段に向上する。その為に、保持孔４に嵌って取付けられるセラミック製のガイドリングは外れ落ちることはない。
ここで、トップガイド１の具体的な材質は限定しないが、一般的には軽くて強いチタン材が適している。
【００１６】
図２はトップガイド１の正面図と底面図を示しており、リング体を成すフレーム２には保持孔４が貫通して設けられ、しかも該保持孔４は六角形と成っている。そこで、保持孔４の内周面９の一部を突出して当接平面６，６・・・を形成し、角部７，７・・・は滑らかな円弧面と成っている。
図３は図２（ａ）のＡ−Ａ断面図であり、釣竿１０の先端部に嵌って取付けられている場合である。フレーム２と取付け部３とのコーナー部には繋ぎ部８が形成され、該フレーム２に作用する外力に対しての強度が確保されている。
【００１７】
取付け部３は細長い筒形とし、軸方向に嵌入孔５が貫通して設けられている。この嵌入孔５に釣竿１０の先端部が嵌入して取付けられる。釣竿１０は先端側が細く成っている為に、嵌入孔５には適当な長さ分が嵌り、時には嵌入孔５から先端が突出する場合もある。そして、嵌入孔５は多角形断面としており（図５参照）、釣竿１０に嵌って取付けたトップガイド１が回転しないように成っている。
【００１８】
図４はトップガイド１の保持孔４にガイドリング１１が嵌る前の状態を表している斜視図を示し、ガイドリング１１はその材質をセラミック製とした円環であり、中心には中央孔１４が貫通している。ガイドリング１１の外周面１２は必要に応じて浅い凹溝を全周にわたって形成し、内周面１３は側面１５とのコーナーが角張ることなく滑らかな円弧面と成っている。
同図から明らかなように、当接平面６，６・・・を形成した六角形の保持孔４は、内周面９の一部であり、該内周面９から一部が突出した突起部として形成している。
【００１９】
図５はフレーム２の保持孔４にガイドリング１１が嵌って取付けられている場合であり、ガイドリング１１の外周面１２は多角形を成している保持孔４の当接平面６，６・・・に係合して取付けられる。当接平面６に内接する円の内径はガイドリング１１の外周面１２に形成した凹溝外径より僅かに小さく成っており、ガイドリング１１を圧入して保持孔４に嵌るならば、当接平面６，６・・・は押圧されて塑性変形して凹部が形成さ、この凹部に外周面１２の凹溝底が圧接して固定される。
【００２０】
この場合、保持孔４の内周面９とガイドリング１１の外周面１２との間には僅かな隙間１６が形成されている。内周面９の一部を突出した突起部として形成した当接平面６，６・・・が塑性変形して当接するのみで、ガイドリング１１の全外周が保持孔４の内周面９に接していない。すなわち、ガイドリング１１を製作する際の寸法誤差によって、その外径が小さい場合には上記隙間１６が形成され、逆にガイドリング１１の外径が大きな場合には上記隙間１６は殆ど形成されない。この場合、内周面９から突出した突起部の当接平面６，６・・・の塑性変形量がガイドリング１１の外径寸法に応じて異なるように成っている。
【００２１】
一方、外周面１２に凹溝を形成しなくても、ガイドリング１１が保持孔４に圧入されることで、当接平面６，６・・・が窪んで形成される凹部にガイドリング１１の外周面１２の一部が係合することが出来る。セラミック製のガイドリング１１は非常に硬くて変形しないが、チタン製のフレーム２の外径が拡張すると共に、保持孔４の当接平面６，６・・・は圧縮塑性変形する。
【００２２】
図６はラインガイド１７を示す具体例である。ラインガイド１７はリールから上記トップガイドの間の釣竿に取付けられて、釣糸が釣竿に沿ってスライドする為のガイドである。すなわち、図７の（ト）に相当する。
ところで、ラインガイド１７のフレーム１８はその保持孔１９が多角形を成し、この多角形保持孔１９にセラミック製のガイドリングが嵌って構成される。すなわち、トップガイド１のフレーム構造と同じである。
【符号の説明】
【００２３】
１   トップガイド
２   フレーム
３   取付け部
４   保持孔
５   嵌入孔
６   当接平面
７   角部
８   繋ぎ部
９   内周面
10   釣竿
11   ガイドリング
12   外周面
13   内周面
14   中央孔
15   側面
16   隙間
17   ラインガイド
18   フレーム
19   保持孔
【図１】
0006424110.tif 000002
【図２】
0006424110.tif 000003
【図３】
0006424110.tif 000004
【図４】
0006424110.tif 000005
【図５】
0006424110.tif 000006
【図６】
0006424110.tif 000007
【図７】
0006424110.tif 000008